(57)【要約】      （修正有）【課題】防球ネット内でスムーズに練習を行うことができ、しかも安全性に優れた球技用の防球ネット、及び球技用の防球ネットの吊張方法を提供する。【解決手段】ウインチで移動する第１移動用ロープ４と、第１移動用ロープ４に連結され間仕切り空間部と同じ形状に形成された枠体２と、枠体２に取り付けられ、所望の空間部を間仕切るネット３から構成され、枠体２には、ネット３の外周面に沿って目隠し用シート５が吊り張りされ、目隠し用シート５はネット３と別体の第２移動用ロープ６で昇降移動可能に構成する。【選択図】図１
2015221190.tif 000002
【特許請求の範囲】
【請求項１】
球場等の屋内外空間部を種々の形状で間仕切りするネットから構成された球技用の防球ネットにおいて、前記ネットの外周面には、移動用ロープで昇降移動し、且つ連結手段を介してネットの上端側に連結される目隠し用シートが吊り張り可能に構成されていることを特徴とする球技用の防球ネット。
【請求項２】
球場等の屋内外空間部の所望の空間を間仕切りするために該空間にネットを吊り張りする球技用の防球ネットの吊張方法において、前記ネットを所望の空間に吊り張りした後、ネットの外周面に沿って目隠し可能な目隠し用シートを移動用ロープで移動し、前記ネットの上端側と目隠し用シートの上端側を連結することでネットの外周面に沿って吊り張りすることを特徴とする球技用の防球ネットの吊張方法。
【発明の詳細な説明】
【発明の詳細な説明】
【技術分野】
【０００１】本発明は、屋内外の空間部の所望の空間部を間仕切りする球技用の防球ネット、及び該防球ネットの吊張方法に関する。【０００２】従来、球技用の防球ネットは、球技用の練習を行う空間部内を所望の空間で間仕切りするのに使用し、該所望の空間部に対応した形状（通常矩形状）の枠体と、該枠体の上面及び側面に沿って籠状に取り付けたネットと、前記枠体に連結し、ネットを上下方向及び左右方向に移動する移動用ロープと、該移動用ロープを移動するウインチから構成されている移動式の防球ネットと、上端側を空間部に架け渡したロープ等に固定したネットから構成された固定式の防球ネットがある。【０００３】上記各球技用の防球ネットは、常時は空間部の上方側等の収納位置に収納され、又は取り外され、使用時は、ウインチを駆動し移動用ロープを移動することで屋内空間部の所望の位置に枠体に取り付けた防球ネットを移動し、該防球ネットで空間部を間仕切りすべく吊り張り、又はロープに上端側を固定して吊り張りする。【０００４】これにより、上記防球ネット内は他の空間部から間仕切りされた空間となり、集中して目的に応じた各種練習を行うことができる。
【発明が解決しようとする課題】
【０００５】しかしながら、上記防球ネットは、ネットで間仕切りされているものの外部の視線が気になり使用する者が練習に集中できない欠点があった。
【０００６】また、外部の騒音が邪魔となり、防球ネット内の練習に支障をきたす場合があった。
【０００７】また、外部に秘密にしたい練習の場合は、屋内外空間部より第３者を排除する必要がありその排除勧告が煩雑で、且つ秘密保持が難しい問題点があった。
【０００８】そこで、本発明は上記課題を解決するものであって、防球ネット内を遮断することでスムーズに練習を行うことができ、しかも安全性に優れた球技用の防球ネット及び該球技用の防球ネットの吊張方法を提供することを課題とするものである。
【課題を解決するための手段】
【０００９】上記課題を解決する本発明の解決手段としての球技用の防球ネットは、請求項１に記載のように、球場等の屋内外空間部を種々の形状で間仕切りするネットから構成された球技用の防球ネットにおいて、前記ネットの外周面には、移動用ロープで昇降移動し、且つ連結手段を介してネットの上端側に連結される目隠し用シートが吊り張り可能に構成されていることを特徴とする。
【００１０】また、上記課題を解決する他の解決手段としての球技用の防球ネットの吊張方法は、請求項２に記載のように、球場等の屋内外空間部の所望の空間を間仕切りするために、該空間にネットを吊り張りする球技用の防球ネットの吊張方法において、前記ネットを所望の空間部に吊り張りした後、ネットの外周面に沿って目隠し可能な目隠し用シートを移動用ロープで移動し、前記ネットの上端側と目隠し用シートの上端側を連結することでネットの外周面に沿って吊り張りすることを特徴とする。
【発明の作用効果】
【００１１】本発明の球技用の防球ネット及び該防球ネットの吊張方法の作用効果について説明する。
【００１２】請求項１に記載の球技用の防球ネットは、先ず各種の吊り張り手段を介して球場等の屋内外空間部の所望の空間に沿ってネットを吊り張りし、該空間部を間仕切りすることができる。
【００１３】その後、ネット内を目隠しする必要がある場合は、移動用ロープをウインチで昇降移動することで、ネットの外周面に沿って目隠し用シートを移動し、ネットの上端側と目隠し用シートの上端側とを連結手段を介して連結する。
【００１４】これにより、外部よりネット内が被覆され、外部と遮断することができ、選手は集中した練習を行うことができる。
【００１５】また、秘密にしたい練習等も外部と容易に遮断した状態で行うことができる利点がある。
【００１６】次に、請求項２に記載の球技用の防球ネットの吊張方法は、先ず各種の吊り張り手段を介して収納されたネットを所望の空間に吊り張りする。これにより、所望の空間がネットにより間仕切りされる。
【００１７】その後、ウインチで移動用ロープを移動し前記ネットの外周面に沿って目隠し用シートを移動することで、該目隠し用シートをネットの外周面に沿って位置する。
【００１８】そして、前記ネットの上端側と目隠し用シートの上端側を連結することで、目隠し用シートをネットの外周面に沿って吊り張りする。
【００１９】このように、防球ネットの外周面に沿って目隠し用シートが取り付けられているために、外部との目隠し用等遮断することができる。
【００２０】また、このように、その移動が容易に行える安全に作業を行うことができる。
【発明を実施するための最良の形態】
【００２１】次に、本発明の球技用の防球ネット、及び該球技用の防球ネットの吊張方法について図面を参照して説明する。【００２２】図１は本発明の球技用の防球ネットの第１実施例を示す概略説明平面図であり、図２は図１の球技用の防球ネットの概略説明側面図であり、図３、図４は本発明の球技用の防球ネットの他実施例を示す概略説明平面図であり、図６は本発明の球技用の防球ネットの吊張方法のフローチャートである。【００２３】本発明の球技用の防球ネット１は、略矩形状の枠体２と、該枠体２に籠状に取り付けられたネット３と、前記枠体２の上部四隅に連結した４本の第１移動用ロープ４と、前記ネット３の外周面に沿って取り付ける目隠し用シート５と、該目隠し用シート５の上部に連結した第２移動用ロープ６から構成されている。【００２４】前記ネット３は、枠体２の上面、及び周側面に取り付けられ、枠体２の形状に沿って間仕切り空間部を形成し、外部に影響されることなくネット３の内部で練習を行うことができる。【００２５】前記ネット３は第１移動用ロープ４をウインチ（図示せず）で移動することで、球場等の練習施設の収納位置より球場等の所望の空間部に移動すべく、球場等の外周部分にウインチを設置し、滑車（図示せず）を介して第１移動用ロープ４を４個所より引き出し、枠体２に連結して構成されている。【００２６】前記枠体２は、練習目的に応じて大きさが決定され、その四隅には所望の長さを有する連結棒７が連結され、該連結棒７を介して目隠し用シート５の上部部分が連結されている。【００２７】前記目隠し用シート５は、矩形状の４面の側面５Ａを有して形成され、一体、２分割、又は４分割されて形成されている。【００２８】前記目隠し用シート５の四隅上端部には第２移動用ロープ６が連結され、該第２移動用ロープ６も第１移動用ロープ４と同様にウインチ（図示せず）で移動することで、前記ネット３の外周面に沿って吊り張りする。【００２９】これにより、ネット３の外周面に沿って目隠し用シート５を被覆することができ、外部の視線、雑音をシャットアウトでき練習に集中できる。【００３０】本発明の球技用の防球ネット１は上記のように構成され、次に、該球技用の防球ネット１を吊り張りする場合について説明する。【００３１】先ず対応する大きさに形成された枠体２の上面、外周面に沿ってネット３を取り付け、その後、屋内外空間部としての球技用の球場に複数台のウインチを設置し、該ウインチより引き出した第１移動用ロープ４の先端を前記枠体２の四隅に連結する。【００３２】次に、前記ウインチを駆動し球場の所望の位置に吊り上げ移動してネット３を設置し、ネット３内で練習を行う。【００３３】そして、選手が練習に集中できない、又は秘密のサインプレーを行う際、ネット３を外部より被覆する必要があり、ウインチを駆動して第２移動用ロープ６を移動し２又は４に分割された目隠し用シート５をネット３の外周面に沿って所望の間隔で位置し、上端部の四隅を枠体２の四隅と連結棒７を介して取付けることで、ネット３を外部より被覆することができる。【００３４】目隠し用シート５を収納する場合は、ウインチを前記と逆方向に移動して目隠し用シート５を収納する位置に移動することで、目隠し用シート５を収納することができる。【００３５】また、ネット３を収納する場合も同様にウインチを駆動し第１移動用ロープ４を移動することで、収納位置に移動することができる。【００３６】このように、本発明の球技用の防球ネット１は、必要に応じて自在に目隠し用シート５をネット３の外周面に沿って取付けでき、ネット３内の使用を最適な状況で行うことができる。【００３７】また、その構成が容易で安全性に優れた吊り張り移動を可能とする。【００３８】尚、上記実施例ではネット３の吊り張りは、移動用ロープ４を用いて空間部への移動用として構成したが、本発明において、ネット３の吊り張りはこれに限定されるものでなく、例えば、空間部に架け渡したロープに上端側を固定し、空間部に吊り張りすることも可能であり、ネット３の吊り張り方法は限定されるものでない。
【図面の簡単な説明】
【００３９】
【図１】本発明の球技用の防球ネットの第１実施例を示す概略説明平面図
【図２】図１の球技用の防球ネットを示す概略説明側面図
【図３】本発明の球技用の防球ネットの他実施例を示す概略説明平面図
【図４】本発明の球技用の防球ネットの他実施例を示す概略説明平面図
【図５】本発明の防球ネットの吊張方法を示すフローチャート
【符号の説明】
【００４０】１−球技用の防球ネット、２−枠体、３−ネット、５−目隠し用シート
【図１】
2015221190.tif 000003
【図２】
2015221190.tif 000004
【図３】
2015221190.tif 000005
【図４】
2015221190.tif 000006
【図５】
2015221190.tif 000007